(57)【特許請求の範囲】
【請求項１】
光源から射出される光束を光偏向器によって偏向し、結像光学系を介して被走査面上に走査線を形成する走査光学系と、この走査光学系に対応して配置した感光体とを複数組備え、１枚のシートへの多重印刷に用いるタンデム方式の走査光学装置において、
前記光源からの前記光束の偏光方向の副走査方向に対する角度を４０°未満とし、且つ前記光偏向器の偏向反射面と被走査面との間に、副走査断面から見た光線入射角が４５°以下で、反射防止膜は単層である反射部材を少なくとも１つ配設しており、前記反射防止膜の光学的厚みｄは、光源波長をλとして、
（１／２）λ＜ｄ≦（３／４）λ
であることを特徴とする走査光学装置。
【請求項２】
請求項１に記載の走査光学装置を含むことを特徴とする画像形成装置。
【発明の詳細な説明】
【０００１】
【発明の属する技術分野】
本発明は、レーザプリンタ、ファクシミリ、およびディジタルＰＰＣ（Plain Paper Copier：普通紙複写機）複写機等の画像形成装置に用いられる光ビームを走査して画像を書き込み形成する走査光学装置に係り、特にカラーレーザプリンタおよびディジタルカラー複写機等のカラー画像形成装置に好適な走査光学装置および画像形成装置に関する。
【０００２】
【従来の技術】
レーザプリンタおよびディジタルＰＰＣ複写機等の画像形成装置は、従来は、白黒単色のものが主体であったが、近年、カラーレーザプリンタおよびディジタルカラー複写機等のカラー画像形成装置が開発され、漸次、高性能化および低価格化が進められている。カラー画像形成装置は、３原色等の複数の単色画像を重ね合わせて多重印刷することにより達成している。
この種の画像形成装置、例えばディジタルカラー複写機等のようなディジタルカラー画像形成装置、においては、駆動機構により回転駆動される複数の、例えば円筒状の感光体に対して独立して、複数の書き込み手段により複数の異なった色の情報をそれぞれ走査線により書き込んで静電潜像を形成し、これらの静電潜像を複数の顕像化手段により異なった色の顕像にそれぞれ顕像化して転写材上に重ね合わせて転写してカラー画像を得る。このような画像形成装置における書き込み手段は、半導体レーザ等の光源からの書き込みビームからなる走査ビームを書き込みレンズ等からなる光学部品を介して集光してなる集光スポットにより感光体を走査して形成される走査線によって、感光体に情報を書き込んで静電潜像を形成する。
【０００３】
このような光走査光学系では、書き込まれる画像の更なる高品質化が求められている。すなわち、光走査光学系で書き込まれた画像の品質における改良すべき点として、シェーディングに起因する「濃度むら」の問題がある。光走査光学系では、偏向反射面による光束の偏向が行われ、偏向光束が走査結像光学系に入射する入射角は１回の偏向が行われる間に連続的に変化する。偏向反射面と被走査面との間には、光学系のレイアウトに応じて、偏向光束の光路を屈曲させるための折り返しミラー等の反射光学系が配備されるが、良く知られたように、光の反射率は入射角に応じて変化する。このため、偏向反射面や折り返しミラーによる偏向光束の反射率も偏向光束の偏向に伴い変動することになる。それによって、被走査面に到達する偏向光束の光強度が１回の偏向の期間内で変動することになる。このような１回の偏向期間内で、すなわち１ラインの光走査の期間内で生じる光スポットの光強度の変動は「シェーディング」と呼ばれている。
【０００４】
光走査光学系による光走査にシェーディングがあると、書き込まれる画像を可視化した記録画像に「濃度むら」が現われる。さらに、例えばカラー画像のように、複数の画像を、多重印刷する場合には、静電潜像を形成する感光体の配置上の制約等から、各色毎に折り返しミラーの枚数や角度が異なるため、発生するシェーディングが異なり、色味のむらが発生する。
例えば、特開平１１−３２６８０７号公報には、光源からの光束を偏向反射面を有する光偏向器により等角速度的に偏向させ、偏向光束を走査結像光学系により被走査面上に光スポットとして集光して、被走査面を等速的に光走査する光走査光学系において、光源として、直線偏光した光束を放射する半導体レーザを用い、この半導体レーザから放射される光束の直線偏光の方向が、副走査対応方向に対して光軸周りに傾くように、半導体レーザの配備態位を調整することによりシェーディングを軽減する技術が示されている。
【０００５】
【発明が解決しようとする課題】
しかしながら、特開平１１−３２６８０７号公報に示された技術を用いても、光走査光学系において、シェーディングを効果的に軽減し、形成される画像の品質を充分に向上させることはできなかった。したがって、光走査光学系においてシェーディングを一層有効に軽減して、形成される画像の濃度むらおよび色味のむらなどを効果的に抑えて画像の品質を向上させ、高品位のカラー画像等を形成することが要望されている。
本発明は、上述した事情に鑑みてなされたもので、光源から射出される光束を光偏向器によって偏向し、結像光学系を介して被走査面上に走査線を形成する走査光学系と、この走査光学系に対応して配置した感光体とを複数組備え、１枚のシートへの多重印刷に用いるタンデム方式の走査光学系において、シェーディングを有効に軽減して、形成される画像の品質を向上させ、画像の濃度むらおよび色味のむらを抑制し、高品位のカラー画像等を形成することを可能とする走査光学装置および画像形成装置を提供することを目的としている。
本発明の請求項１の目的は、特に、光走査光学系においてシェーディングを有効に軽減し、形成画像の品質を向上させることを可能とする走査光学装置を提供することにある。
また、本発明の請求項２の目的は、特に、光走査光学系においてシェーディングを有効に軽減し、画像の濃度むら、色味のむらを抑え、高品位のカラー画像等を得ることを可能とする画像形成装置を提供することにある。
【０００６】
【課題を解決するための手段】
請求項１に記載した本発明に係る走査光学装置は、上述した目的を達成するために、
光源から射出される光束を光偏向器によって偏向し、結像光学系を介して被走査面上に走査線を形成する走査光学系と、この走査光学系に対応して配置した感光体とを複数組備え、１枚のシートへの多重印刷に用いるタンデム方式の走査光学装置において、
前記光源からの前記光束の偏光方向の副走査方向に対する角度を４０°未満とし、且つ前記光偏向器の偏向反射面と被走査面との間に、副走査断面から見た光線入射角が４５°以下で、反射防止膜は単層である反射部材を少なくとも１つ配設しており、前記反射防止膜の光学的厚みｄが、光源波長をλとして、
（１／２）λ＜ｄ≦（３／４）λ
であることを特徴としている。
【０００８】
請求項２に記載した本発明に係る画像形成装置は、上述した目的を達成するために、
上述した請求項１に記載の走査光学装置を含むことを特徴としている。
【０００９】
【作用】
すなわち、本発明の請求項１による走査光学装置は、光源から射出される光束を光偏向器によって偏向し、結像光学系を介して被走査面上に走査線を形成する走査光学系と、この走査光学系に対応して配置した感光体とを複数組備え、１枚のシートへの多重印刷に用いるタンデム方式の走査光学装置において、
前記光源からの前記光束の偏光方向の副走査方向に対する角度を４０°未満とし、且つ前記光偏向器の偏向反射面と被走査面との間に、副走査断面から見た光線入射角が４５°以下で、反射防止膜は単層である反射部材を少なくとも１つ配設しており、前記反射防止膜の光学的厚みｄが、光源波長をλとして、
（１／２）λ＜ｄ≦（３／４）λ
である。
このような構成により、シェーディングを有効に軽減し、形成画像の品質を向上させることが可能となる。
【００１４】
さらに、本発明の請求項２による画像形成装置は、上述した請求項１に記載の走査光学装置を含む。
このような構成により、請求項１に記載の走査光学装置を含んで画像形成装置を構成するので、画像の濃度むら、色味のむらを抑え、高品位のカラー画像等を形成することが可能となる。
【００１５】
【発明の実施の形態】
以下、本発明の実施の形態に基づき、図面を参照して本発明に係る走査光学装置を詳細に説明する。
図１および図２は、本発明の一つの実施の形態に係る走査光学装置の要部の構成を示している。図１は、走査光学装置における主として光偏向器である回転多面鏡以降の副走査断面図であり、図２は、走査光学装置の偏向走査面を含む平面に走査光学系を展開した図である。
図１および図２に示す走査光学装置は、半導体レーザ１，１Ａ，１Ｂ，１Ｃ、カップリングレンズ２，２Ａ，２Ｂ，２Ｃ、シリンドリカルレンズ３，３Ａ，３Ｂ，３Ｃ、ポリゴンミラー４、第１の走査結像レンズ５，５Ａ，５Ｂ，５Ｃ、第１の折返しミラー６，６Ａ，６Ｂ，６Ｃ、第２の折返しミラー７，７Ａ，７Ｂ，７Ｃ、第３の折返しミラー８，８Ａ，８Ｂ，８Ｃ、感光体９，９Ａ，９Ｂ，９Ｃ、防塵ガラス１０，１０Ａ，１０Ｂ，１０Ｃ、防音ガラス１１，１１Ａ、および第２の走査結像レンズ１２，１２Ａ，１２Ｂ，１２Ｃを具備している。
【００１６】
半導体レーザ１，１Ａ，１Ｂおよび１Ｃは、光源であり、光ビームとしてレーザビームを発生する。カップリングレンズ２，２Ａ，２Ｂおよび２Ｃは、それぞれ、半導体レーザ１，１Ａ，１Ｂおよび１Ｃから射出される発散光束のビーム光束を整えて適正なレーザビームとしてシリンドリカルレンズ３，３Ａ，３Ｂおよび３Ｃに入射させる。シリンドリカルレンズ３，３Ａ，３Ｂおよび３Ｃは、この場合、副走査方向にのみパワー、つまり屈折力を有し、それぞれ半導体レーザ１，１Ａ，１Ｂおよび１Ｃからのレーザビームを所定の一方向のみについて集光して、ポリゴンミラー４の近傍において線像を形成させる。ポリゴンミラー４は、半導体レーザ１，１Ａ，１Ｂおよび１Ｃの各レーザビームに対して共通に使用される回転多面鏡であり、各レーザビームを回転偏向して走査しつつ、それぞれ各走査結像レンズ５，５Ａ，５Ｂおよび５Ｃ等に入射させる。第１の走査結像レンズ５，５Ａ，５Ｂおよび５Ｃ、第１の折返しミラー６，６Ａ，６Ｂおよび６Ｃ、第２の折返しミラー７，７Ａ，７Ｂおよび７Ｃ、第３の折返しミラー８，８Ａ，８Ｂおよび８Ｃ、並びに第２の走査結像レンズ１２，１２Ａ，１２Ｂおよび１２Ｃは、偏向走査されたレーザビームを、適宜導き且つ集光して、被走査面である感光体９，９Ａ，９Ｂおよび９Ｃの表面上に結像させる。感光体９，９Ａ，９Ｂおよび９Ｃは、この場合、円筒面状の表面に被走査面を形成し、感光して潜像を形成する。防塵ガラス１０，１０Ａ，１０Ｂおよび１０Ｃは、感光体９，９Ａ，９Ｂおよび９Ｃ周辺と外部との間を防塵するためのガラスである。
【００１７】
防音ガラス１１、並びに１１Ａは、ポリゴンミラー４と、半導体レーザ１，１Ａ、カップリングレンズ２，２Ａ、シリンドリカルレンズ３，３Ａ、第１の走査結像レンズ５，５Ａ、第１の折返しミラー６，６Ａ、第２の折返しミラー７，７Ａ、第３の折返しミラー８，８Ａ、感光体９，９Ａ、防塵ガラス１０，１０Ａ、および第２の走査結像レンズ１２，１２Ａとの間、並びにポリゴンミラー４と、半導体レーザ１Ｂ，１Ｃ、カップリングレンズ２Ｂ，２Ｃ、シリンドリカルレンズ３Ｂ，３Ｃ、第１の走査結像レンズ５Ｂ，５Ｃ、第１の折返しミラー６Ｂ，６Ｃ、第２の折返しミラー７Ｂ，７Ｃ、第３の折返しミラー８Ｂ，８Ｃ、感光体９Ｂ，９Ｃ、防塵ガラス１０Ｂ，１０Ｃ、および第２の走査結像レンズ１２Ｂ，１２Ｃとの間にそれぞれ介挿され、高速回転されるポリゴンミラー４の回転音を遮蔽する。
【００１８】
上述した、半導体レーザ１、カップリングレンズ２、シリンドリカルレンズ３、第１の走査結像レンズ５、第１の折返しミラー６、第２の折返しミラー７、第３の折返しミラー８、感光体９、防塵ガラス１０、および第２の走査結像レンズ１２は、走査光学系と感光体の第１の組を構成し、半導体レーザ１Ａ、カップリングレンズ２Ａ、シリンドリカルレンズ３Ａ、第１の走査結像レンズ５Ａ、第１の折返しミラー６Ａ、第２の折返しミラー７Ａ、第３の折返しミラー８Ａ、感光体９Ａ、防塵ガラス１０Ａ、および第２の走査結像レンズ１２Ａは、走査光学系と感光体の第２の組を構成し、半導体レーザ１Ｂ、カップリングレンズ２Ｂ、シリンドリカルレンズ３Ｂ、第１の走査結像レンズ５Ｂ、第１の折返しミラー６Ｂ、第２の折返しミラー７Ｂ、第３の折返しミラー８Ｂ、感光体９Ｂ、防塵ガラス１０Ｂ、および第２の走査結像レンズ１２Ｂは、走査光学系と感光体の第３の組を構成し、半導体レーザ１Ｃ、カップリングレンズ２Ｃ、シリンドリカルレンズ３Ｃ、第１の走査結像レンズ５Ｃ、第１の折返しミラー６Ｃ、第２の折返しミラー７Ｃ、第３の折返しミラー８Ｃ、感光体９Ｃ、防塵ガラス１０Ｃ、および第２の走査結像レンズ１２Ｃは、走査光学系と感光体の第４の組を構成している。
【００１９】
このように構成された走査光学装置において、半導体レーザ１，１Ａ，１Ｂ，１Ｃから発したレーザ光の発散光束は、カップリングレンズ２，２Ａ，２Ｂ，２Ｃによりカップリングされ、副走査方向のみにパワーを有するシリンドリカルレンズ３，３Ａ，３Ｂ，３Ｃにより、集光されてポリゴンミラー４の反射点の近傍に線像として結像する。なお、ここで線像は、反射点の近傍としているが、反射点から多少離れていても構わない。ポリゴンミラー４で反射偏向された光束は、防音ガラス１１，１１Ａを通過し、第１の走査レンズ５，５Ａ，５Ｂ，５Ｃおよび第２の走査レンズ１２，１２Ａ，１２Ｂ，１２Ｃによって、被走査面である感光体９，９Ａ，９Ｂ，９Ｃの表面に結像する。ここで、走査光学素子としての第１の走査レンズ５，５Ａ，５Ｂ，５Ｃは、それぞれ各光束毎に１つずつ使われているが、それぞれ複数枚用いても構わないし、上下に重ねた走査レンズ５と５Ａ、または５Ｂと５Ｃを一体化してそれぞれ１つのレンズとしても構わない。
【００２０】
その後、各光束は、防塵ガラス１０，１０Ａ，１０Ｂ，１０Ｃを経て、感光体９，９Ａ，９Ｂ，９Ｃに入射して、潜像を形成し、図示されていない現像装置でトナー像を形成し、転写ベルトまたは転写ベルトに乗せられた記録用紙等の記録媒体に転写される。
また、この場合には、ポリゴンミラー４の両側に２本ずつ光束を振り分けているが、光束の総数をさらに増やしたり、振り分ける光束数を適宜変更しても構わない。
このような多色印刷等の場合の各色の走査光学系は、基本的に同一の構成であるので、以後は一色の光学系のみについて説明する。
【００２１】
図３は、走査光学装置における主として光偏向器である回転多面鏡以降の副走査断面図であり、図４は、走査光学装置の偏向走査面を含む平面に走査光学系を展開した図である。なお、図４には、カップリングレンズ２とシリンドリカルレンズ３との間にアパーチャ（絞り）ＡＰが示されている。
ここで、光偏向器であるポリゴンミラー４の後の光学系データについて検討する。
光源波長：６５０ｎｍ
Ｒｍ：    メリジオナル方向曲率半径［ｍｍ］
Ｒｓ：    サジタル方向曲率半径［ｍｍ］
Ｎ：      使用波長での屈折率［ｍｍ］
Ｘ：      光軸方向の距離［ｍｍ］
Ｙ：      光軸と垂直方向の距離［ｍｍ］
としたとき、図４に示す各面番号について、表１が得られる。
【００２２】
【表１】
0004384372.tif 000002
なお、表１において、＊が付された面は共軸非球面であり、数１で表される。
【００２３】
【数１】
0004384372.tif 000003
数１において、面番号１の面は、
Ｋ＝２．６６７，Ａ＝１．７９Ｅ−０７，Ｂ＝−１．０８Ｅ−１２，
Ｃ＝−３．１８Ｅ−１４，そしてＤ＝３．７４Ｅ−１８である。
また、面番号２の面は、
Ｋ＝０．０２，Ａ＝２．５０Ｅ−０７，Ｂ＝９．６１Ｅ−１２，
Ｃ＝４．５４Ｅ−１５，そしてＤ＝−３．０３Ｅ−１８である。
【００２４】
また、＊＊が付された面は、主走査方向の形状が非円弧形状であり、副走査方向の曲率半径は、レンズ高さによって連続的に変化する。面番号３の主走査形状は、数１において、Ｋ＝−７１．７３，Ａ＝４．３３Ｅ−０８，Ｂ＝−５．９７Ｅ−１３，Ｃ＝−１．２８Ｅ−１６，そしてＤ＝５．７３Ｅ−２１である。この面番号３の面は、主走査対応方向における光軸からの距離：Ｙを変数とする偏向直交面内の曲率半径をＲｓ（Ｙ）とした時、該Ｒｓ（Ｙ）を特定するのに、多項式：
Ｒｓ（Ｙ）＝Ｒｓ（０）＋Σｂｊ・Ｙｊ    （ｊ＝１，２，３，…）
で表すことにする。面番号３の面は、主走査対応方向において光軸対称で、Ｒｓ（０）＝−４７．７，ｂ２＝１．６０Ｅ−０３，ｂ４＝−２．３２Ｅ−０７，ｂ６＝１．６０Ｅ−１１，ｂ８＝−５．６１Ｅ−１６，ｂ１０＝２．１８Ｅ−２０，およびｂ１２＝−１．２５Ｅ−２４として示すことができる。
なお、本光学系においては、厚さ１．９ｍｍの防音ガラス１１（屈折率１．５１１）および厚さ１．９ｍｍの防塵ガラス１０（屈折率１．５１１）を挿入して、計算している。
また、各光学要素の反射防止膜のコーティングの条件は、表２の通りである。
【００２５】
【表２】
0004384372.tif 000004
【００２６】
なお像高は、図４において、ポリゴンミラー４の回転軸から像面に下ろした足を像高０ｍｍとし、上をプラス像高、下をマイナス像高としている。
この場合、シェーディングを改善するには、偏向反射面と被走査面の間に、入射角が４５°以下で、反射防止膜は単層である反射部材を少なくとも１つ有することが望ましい。図５に、光源からの光束の偏光方向の副走査方向に対する角度を０°、折り返しミラーへの入射角を４５°として、反射防止膜を４層とした場合Ａと単層とした場合Ｂのシェーディング特性の比較を示す。図５によれば、４層は７．４％なのに対して、単層は７．３％となり、シェーディング特性が改善している。ここで、４層の各層の厚みは１／４λ、単層の厚みは１／２λとしている。
また、光源からの光束の偏光方向の副走査方向に対する角度を０°、折り返しミラーへの入射角を２０°とした場合（図６）でも、４層は７．０％なのに対して、単層は６．４％となり、シェーディング特性が改善している。さらに、光源からの光束の偏光方向の副走査方向に対する角度を３５°、折り返しミラーへの入射角を４５°とした場合（図７）でも、４層は５．３％なのに対して、単層は３．４％となり、シェーディング特性が改善している。
【００２７】
また、複数の折り返しミラーがある場合、副走査断面から見た光線入射角が４５°以上であれば像高の中央付近の反射率が高くなり、周辺の反射率が低くなるように逆の効果を持ち、これを相殺するためにも副走査断面から見た光線入射角が４５°以下である折り返しミラーが必要である。上記反射率は、反射防止膜の厚みｄと光源波長λに応じて変化する。
さらに望ましくは単層の反射防止膜の光学的厚みｄは、光源波長をλとして、
（１／２）λ＜ｄ≦（３／４）λ
とすると、シェーディングがさらに改善される。
また、単層の厚みを０．７λにすると、光源からの光束の偏光方向の副走査方向に対する角度を０°、折り返しミラーへの入射角を４５°とした場合は、図５のＣのように５．２％となりシェーディング特性は改善する。光源からの光束の偏光方向の副走査方向に対する角度を０°、折り返しミラーへの入射角を２０°とした場合でも図６のＣのように５．２％となりシェーディングは改善する。さらに、光源からの光束の偏光方向の副走査方向に対する角度を３５°、折り返しミラーへの入射角を４５°とした場合でも図７のＣのように、２．７％となり、シェーディングが改善する。
【００２８】
次に、像面の絶対光量が不足する為に単層のミラーが使えず、多層膜を使わざるをえない場合でも、各層の厚みを（１／４）λ＜ｄ＜（１／２）λとすれば、それ以外の場合よりもシェーディング特性が改善する。
ここではｄ＝０．４５λの場合を示す。光源からの光束の偏光方向の副走査方向に対する角度を０°、折り返しミラーへの副走査断面から見た光線入射角を４５°とすると図５のＤのように４．４％、光源からの光束の偏光方向の副走査方向に対する角度を０°、折り返しミラーへの入射角を２０°とすると図６のＤのように４．７％、光源からの光束の偏光方向の副走査方向に対する角度を３５°、折り返しミラーへの副走査断面から見た光線入射角を４５°とすると図７のＤのように０．６％となり、いずれもシェーディングが低減されることがわかる。
また、複数の折り返しミラーがある場合、副走査断面から見た光線入射角が４５°以上であれば像高の中央付近の反射率が高くなり、周辺の反射率が低くなるように逆の効果を持ち、これを相殺するためにさらに副走査断面から見た光線入射角が４５°以下である折り返しミラーが必要となり、同数以上必要となる。
【００２９】
次に、図８および図９に４色対応のカラー画像形成装置の具体的な構成図を示す。図８は、転写ベルト１１５上に記録媒体１４を乗せ、記録媒体１４に直接トナー像を転写するタイプ、図９は一旦トナー像を転写ベルト１１５上に転写し、さらに記録媒体１４に転写するタイプを示している。さらに記録媒体１４に画像形成されるまでのプロセスは通常の多色画像形成装置と同様である。これらの各色の光走査装置に上述したシェーディング低減技術を適用することにより、色むらを低減し、画像品質を向上させることができる。なお、図８および図９に示した構成については特開平１１−３２６８０４号公報等に詳細に示されているので、ここでは簡単な説明にとどめる。
図８および図９に示す画像形成装置は、光走査装置１１７、帯電器１１２Ｍ，１１２Ｃ，１１２Ｙ，１１２Ｋ、現像器１１３Ｍ，１１３Ｃ，１１３Ｙ，１１３Ｋ、転写器１１４Ｍ，１１４Ｃ，１１４Ｙ，１１４Ｋ、転写ベルト１１５および定着装置１１６を備えている。図８と図９は、主として定着装置１１６の位置および記録媒体１４を挿入する個所が相違する。
【００３０】
【発明の効果】
以上述べたように、本発明によれば、光源から射出される光束を光偏向器によって偏向し、結像光学系を介して被走査面上に走査線を形成する走査光学系と、この走査光学系に対応して配置した感光体とを複数組備え、１枚のシートへの多重印刷に用いるタンデム方式の走査光学系において、シェーディングを有効に軽減して、形成される画像の品質を向上させ、画像の濃度むらおよび色味のむらを抑制し、高品位のカラー画像等を形成することを可能とする走査光学装置および画像形成装置を提供することができる。
また、本発明の請求項１の走査光学装置によれば、光源から射出される光束を光偏向器によって偏向し、結像光学系を介して被走査面上に走査線を形成する走査光学系と、この走査光学系に対応して配置した感光体とを複数組備え、１枚のシートへの多重印刷に用いるタンデム方式の走査光学装置において、
前記光源からの前記光束の偏光方向の副走査方向に対する角度を４０°未満とし、且つ前記光偏向器の偏向反射面と被走査面との間に、副走査断面から見た光線入射角が４５°以下で、反射防止膜は単層である反射部材を少なくとも１つ配設しており、前記反射防止膜の光学的厚みｄは、光源波長をλとして、
（１／２）λ＜ｄ≦（３／４）λ
であることにより、シェーディングを有効に軽減し、形成画像の品質を向上させることができる。
【００３２】
さらに、本発明の請求項２の画像形成装置によれば、上述した請求項１に記載の走査光学装置を含んで画像形成装置を構成することにより、画像の濃度むら、色味のむらを抑え、高品位のカラー画像等を形成することが可能となる。
【図面の簡単な説明】
【図１】本発明の一つの実施の形態に係る走査光学装置における主として光偏向器である回転多面鏡以降の副走査系を含む要部を示す断面図である。
【図２】図１の走査光学装置の偏向走査面を含む平面に走査光学系を展開して示す模式図である。
【図３】図１の走査光学装置における単一色の走査光学系の主として光偏向器である回転多面鏡以降の副走査系を含む要部を示す断面図である。
【図４】図１の走査光学装置における単一色の偏向走査面を含む平面に走査光学系を展開して示す模式図である。
【図５】光源からの光束の偏光方向の副走査方向に対する角度を０°、折り返しミラーへの入射角を４５°とした場合のシェーディング特性を示す図である。
【図６】光源からの光束の偏光方向の副走査方向に対する角度を０°、折り返しミラーへの入射角を２０°とした場合のシェーディング特性を示す図である。
【図７】光源からの光束の偏光方向の副走査方向に対する角度を３５°、折り返しミラーへの入射角を４５°とした場合のシェーディング特性を示す図である。
【図８】転写ベルト上に記録媒体を乗せ、記録媒体に直接トナー像を転写するタイプの４色対応のカラー画像形成装置の具体的な構成図である
【図９】一旦トナー像を転写ベルト上に転写し、さらに記録媒体に転写するタイプの４色対応のカラー画像形成装置の具体的な構成図である
【符号の説明】
１，１Ａ，１Ｂ，１Ｃ  半導体レーザ
２，２Ａ，２Ｂ，２Ｃ  カップリングレンズ
３，３Ａ，３Ｂ，３Ｃ  シリンドリカルレンズ
４  ポリゴンミラー
５，５Ａ，５Ｂ，５Ｃ  第１の走査結像レンズ
６，６Ａ，６Ｂ，６Ｃ  第１の折返しミラー
７，７Ａ，７Ｂ，７Ｃ  第２の折返しミラー
８Ａ，８Ｂ，８Ｃ  第３の折返しミラー
９，９Ａ，９Ｂ，９Ｃ  感光体
１０，１０Ａ，１０Ｂ，１０Ｃ  防塵ガラス
１１，１１Ａ  防音ガラス
１２，１２Ａ，１２Ｂ，１２Ｃ  第２の走査結像レンズ
１４  記録媒体
１１２Ｍ，１１２Ｃ，１１２Ｙ，１１２Ｋ  帯電器
１１３Ｍ，１１３Ｃ，１１３Ｙ，１１３Ｋ  現像器
１１４Ｍ，１１４Ｃ，１１４Ｙ，１１４Ｋ  転写器
１１５  転写ベルト
１１６  定着装置
１１７  光走査装置
ＡＰ  アパーチャ
【図１】
0004384372.tif 000005
【図２】
0004384372.tif 000006
【図３】
0004384372.tif 000007
【図４】
0004384372.tif 000008
【図５】
0004384372.tif 000009
【図６】
0004384372.tif 000010
【図７】
0004384372.tif 000011
【図８】
0004384372.tif 000012
【図９】
0004384372.tif 000013